(57)【要約】【課題】乳幼児による誤飲をユーザにより確実に注意喚起することが可能な画像形成装置を提供する。【解決手段】画像形成装置１００は、メモリー装置が着脱可能であり、当該メモリー装置に格納された画像データで示される画像の印刷処理を行うものである。そして、画像形成装置１００は、メモリー装置が画像形成装置１００に装着されたことを検知するメモリー読取部９９と、メモリー読取部９９がメモリー装置の装着を検知したときに、乳幼児によるメモリー装置の誤飲を注意喚起する旨の通知処理を行う表示処理部５０１ａとを備える。【選択図】図２
2011161641.tif 000002
【特許請求の範囲】
【請求項１】
メモリー装置が着脱可能であり、当該メモリー装置に格納された画像データで示される画像の印刷処理を行う画像形成装置であって、
上記メモリー装置が画像形成装置に装着されたことを検知する検知部と、
上記検知部がメモリー装置の装着を検知したときに、乳幼児によるメモリー装置の誤飲を注意喚起する旨の通知処理を行う通知部とを備えることを特徴とする画像形成装置。
【請求項２】
表示部を備え、
上記通知部は、上記検知部がメモリー装置の装着を検知したときに、乳幼児によるメモリー装置の誤飲を注意喚起する旨の通知画面を上記表示部に表示させることを特徴とする請求項１に記載の画像形成装置。
【請求項３】
ユーザ入力に従って、装着されたメモリー装置に対して、当該メモリー装置が乳幼児による誤飲防止の処置が施された推奨メモリー装置であるか否かを示す推奨情報を書き込む推奨情報書込部を備え、
上記通知部は、装着されたメモリー装置に推奨情報が格納されており、かつ、当該推奨情報が推奨メモリー装置であることを示している場合、上記通知処理を省略することを特徴とする請求項１または２に記載の画像形成装置。
【請求項４】
上記通知部は、上記通知処理として、乳幼児による誤飲防止の処置が施された推奨メモリー装置の使用を推奨する旨の通知を行うことと特徴とする請求項１から３の何れか１項に記載の画像形成装置。
【請求項５】
請求項１から４の何れか１項に記載の画像形成装置と、
上記画像形成装置と通信する情報処理装置とを備え、
上記画像形成装置は、上記情報処理装置から受信した画像データで示される画像の印刷処理を行う機能を有する画像形成システムであって、
上記検知部がメモリー装置の装着を検知したときに、上記情報処理装置は、乳幼児によるメモリー装置の誤飲を注意喚起する旨の通知処理をユーザに行うことを特徴とする画像形成システム。
【請求項６】
請求項１から４の何れか１項に記載の画像形成装置を操作するためのプリンタドライバがインストールされるコンピュータを動作するためのプログラムであって、
コンピュータを、
上記プリンタドライバのインストールが完了したことを確認するインストール完了確認部と、
上記インストール完了確認部がインストールの完了を確認したときに、乳幼児によるメモリー装置の誤飲を注意喚起する旨の通知画面を表示装置に表示させる表示制御部として機能させるためのプログラム。
【請求項７】
請求項６に記載のプログラムを記録したコンピュータ読取り可能な記録媒体。
【請求項８】
メモリー装置が着脱可能であり、当該メモリー装置に格納された画像データで示される画像の印刷処理を行う画像形成装置の制御方法であって、
上記メモリー装置が画像形成装置に装着されたか否かを検知するステップと、
メモリー装置の装着を検知したときに、乳幼児によるメモリー装置の誤飲を注意喚起する旨の通知処理を行うステップとを含むことを特徴とする制御方法。
【発明の詳細な説明】
【技術分野】
【０００１】
本発明は、メモリー装置を着脱可能な複合機、複写機、プリンタ、ファクシミリ等の画像形成装置に関するものである。
【背景技術】
【０００２】
パーソナルコンピュータやデジタルビデオカメラ等の電子機器に用いるデータ記録媒体として、不揮発性半導体メモリを用いたメモリーカードやＵＳＢ（Universal Serial Bus）メモリーが知られている。メモリーカードやＵＳＢメモリーは、小型・軽量で扱いやすく、また、可搬性にも優れているため、適用可能な電子機器の種類が増加している。例えば、近年では、メモリーカード用のスロットを備えた画像形成装置が流通されている。この画像形成装置では、メモリーカードを用いて、印刷用画像データの入力を行い、また、ファームウェアのアップデートやオプションソフトのインストールを行うことが可能である。
【０００３】
ところで、このようなメモリーカードやＵＳＢメモリーなどのメモリー装置は、小型化が進んでその可搬性が向上し、また、用いる機器の種類が広がりつつある反面、その小ささのために乳幼児が誤って口に入れてしまい、深刻な事故につながってしまうといった危険性を有している。
【０００４】
このような誤飲を防止するために、メモリカードが抜かれたことを検出した際に、周囲にメモリカードの取り出しが行われたことを通知する技術が特許文献１に開示されている。しかしながら、特許文献１に記載の技術では、周囲に大人がいない場合には誤飲を防止することができない。
【０００５】
そこで、特許文献２〜４では、乳幼児の味覚を刺激するような物質を対象物に含有させることにより、対象物の誤飲を防止させる技術が開示されている。例えば、特許文献２には、半導体メモリを覆う筐体部の粗面領域に苦味剤を保持させることが記載されている。また、特許文献３には、無害の催吐性物質（安息香酸デナトリウム、エピカテキン、フムロン）を有する小型記録媒体が記載されている。さらに、特許文献４には、サイクロデキストリンを含有する玩具用模擬飲料が開示されている。
【先行技術文献】
【特許文献】
【０００６】
【特許文献１】特開２００８−７２２８３号公報
【特許文献２】特開２００７−２００１７８号公報
【特許文献３】ＷＯ２００７／０５８０３１
【特許文献４】特開２００８−１６９号公報
【発明の概要】
【発明が解決しようとする課題】
【０００７】
しかしながら、全てのユーザが、上記特許文献２、３のような、乳幼児の味覚を刺激するような物質を有するメモリー装置が存在していることを認識しているわけではない。また、このようなメモリー装置が存在していることを知っていたとしても、実際にメモリー装置を使用する際に、乳幼児の誤飲に対して注意を払っていない場合もある。そのため、乳幼児がいるにも拘わらず、乳幼児の味覚を刺激するような物質を有しないメモリー装置を使用してしまい、乳幼児による誤飲が発生するという問題が依然として生じてしまう。
【０００８】
本発明は、上記課題を解決するためになされたものであり、乳幼児による誤飲をユーザにより確実に注意喚起することが可能な画像形成装置を提供することを目的とする。
【課題を解決するための手段】
【０００９】
上記の課題を解決するために、本発明の画像形成装置は、メモリー装置が着脱可能であり、当該メモリー装置に格納された画像データで示される画像の印刷処理を行う画像形成装置であって、上記メモリー装置が画像形成装置に装着されたことを検知する検知部と、上記検知部がメモリー装置の装着を検知したときに、乳幼児によるメモリー装置の誤飲を注意喚起する旨の通知処理を行う通知部とを備えることを特徴とする。
【００１０】
また、本発明の画像形成装置の制御方法は、メモリー装置が着脱可能であり、当該メモリー装置に格納された画像データで示される画像の印刷処理を行う画像形成装置の制御方法であって、上記メモリー装置が画像形成装置に装着されたか否かを検知するステップと、メモリー装置の装着を検知したときに、乳幼児によるメモリー装置の誤飲を注意喚起する旨の通知処理を行うステップとを含むことを特徴とする。
【００１１】
上記の構成によれば、メモリー装置が装着されたときに、乳幼児によるメモリー装置の誤飲を注意喚起する旨の通知処理が行われる。これにより、ユーザは、乳幼児によるメモリー装置の誤飲の可能性があることを認識することができ、当該誤飲に対して注意することができる。その結果、誤飲を防止することができる。
【００１２】
さらに、本発明の画像形成装置は、表示部を備え、上記通知部は、上記検知部がメモリー装置の装着を検知したときに、乳幼児によるメモリー装置の誤飲を注意喚起する旨の通知画面を上記表示部に表示させることが好ましい。上記の構成によれば、ユーザは、視覚により通知画面を確認することができる。
【００１３】
さらに、本発明の画像形成装置は、ユーザ入力に従って、装着されたメモリー装置に対して、当該メモリー装置が乳幼児による誤飲防止の処置が施された推奨メモリー装置であるか否かを示す推奨情報を書き込む推奨情報書込部を備え、上記通知部は、装着されたメモリー装置に推奨情報が格納されており、かつ、当該推奨情報が推奨メモリー装置であることを示している場合、上記通知処理を省略することが好ましい。
【００１４】
上記の構成によれば、装着されたメモリー装置に推奨情報が格納されており、かつ、当該推奨情報が推奨メモリー装置であることを示している場合、上記通知処理を省略する。そのため、既に推奨メモリー装置を使用しているユーザに対して注意喚起することがない。つまり、不必要な通知を省略することができる。また、既に推奨メモリー装置を使用しているユーザは、上記の通知を受けることなく、次の操作を即座に行うことができる。
【００１５】
さらに、本発明の画像形成装置において、上記通知部は、上記通知処理として、乳幼児による誤飲防止の処置が施された推奨メモリー装置の使用を推奨する旨の通知を行うことが好ましい。
【００１６】
上記の構成によれば、推奨メモリー装置の存在を知らないユーザに対して、その存在を認識させることができる。その結果、誤飲防止を図ることができる。
【００１７】
また、本発明の画像形成システムは、上記の画像形成装置と、上記画像形成装置と通信する情報処理装置とを備え、上記画像形成装置は、上記情報処理装置から受信した画像データで示される画像の印刷処理を行う機能を有する画像形成システムであって、上記検知部がメモリー装置の装着を検知したときに、上記情報処理装置は、乳幼児によるメモリー装置の誤飲を注意喚起する旨の通知処理をユーザに行うことを特徴とする。
【００１８】
上記の構成によれば、メモリー装置が装着されたときに、画像形成装置だけでなく、情報処理装置においても、乳幼児によるメモリー装置の誤飲を注意喚起する旨の通知が行われる。これにより、ユーザは、乳幼児によるメモリー装置の誤飲の可能性があることを一層認識することができ、当該誤飲に対して注意することができる。その結果、誤飲を防止することができる。
【００１９】
また、本発明のプログラムは、上記の画像形成装置を操作するためのプリンタドライバがインストールされるコンピュータを動作するためのプログラムであって、コンピュータを、上記プリンタドライバのインストールが完了したことを確認するインストール完了確認部と、上記インストール完了確認部がインストールの完了を確認したときに、乳幼児によるメモリー装置の誤飲を注意喚起する旨の通知画面を表示装置に表示させる表示制御部として機能させる。なお、当該プログラムを記録したコンピュータ読取り可能な記録媒体も、本発明の範疇に入る。
【００２０】
上記の構成によれば、プリンタドライバをインストールするときには、乳幼児によるメモリー装置の誤飲に対する注意喚起が行われる。これにより、ユーザは、画像形成装置を使用する前に、当該誤飲に対して注意することができる。
【発明の効果】
【００２１】
本発明の画像形成装置は、メモリー装置が画像形成装置に装着されたことを検知する検知部と、上記検知部がメモリー装置の装着を検知したときに、乳幼児によるメモリー装置の誤飲を注意喚起する旨の通知処理を行う通知部とを備える。これにより、ユーザは、乳幼児によるメモリー装置の誤飲の可能性があることを認識することができ、当該誤飲に対して注意することができる。その結果、誤飲を防止することができる。
【図面の簡単な説明】
【００２２】
【図１】本発明の一実施形態に係る画像形成装置の内部構成を示す模式図である。
【図２】実施形態１の画像形成装置の概略構成を示すブロック図である。
【図３】（ａ）は画像形成装置に装着可能なＳＤメモリーカードの表面を示した模式図であり、（ｂ）は裏面を示した模式図である。
【図４】画像形成装置にメモリーカードが挿入されたときの処理の流れを示すフローチャートである。
【図５】メモリーカードを画像形成装置に装着したときの操作パネルの画面例を示す図である。
【図６】（ａ）は画像形成装置に装着可能なＳＤＨＣメモリーカードの表面を示した模式図であり、（ｂ）は裏面を示した模式図である。
【図７】（ａ）は画像形成装置に装着可能なコンパクトフラッシュ（登録商標）メモリーの表面を示した模式図であり、（ｂ）は裏面を示した模式図である。
【図８】（ａ）は画像形成装置に装着可能なマイクロＳＤＨＣメモリーカードの表面を示した模式図であり、（ｂ）は裏面を示した模式図である。
【図９】画像形成装置に装着可能なＵＳＢメモリーを示す模式図である。
【図１０】誤飲防止を注意する通知画面を表示する別の処理の流れを示すフローチャートである。
【図１１】誤飲防止を注意する通知画面を表示するさらに別の処理の流れを示すフローチャートである。
【図１２】画像形成装置と通信可能に接続されるコンピュータ装置の構成を示す図である。
【図１３】プリンタドライバをインストールするときの処理の流れを示すフローチャートである。
【図１４】プリンタドライバをインストールしたときに表示される通知画面の一例を示す図である。
【図１５】画像形成装置と通信可能に接続されるコンピュータ装置の別の構成を示す図である。
【図１６】画像形成装置においてメモリーカードが装着されたときに、コンピュータ装置で表示される通知画面の一例を示す図である。
【図１７】Ｗｅｂページにおける通知画面の表示例を示す図である。
【図１８】Ｗｅｂページにおける通知画面の別の表示例を示す図である。
【図１９】新聞等での通知文書を示す図である。
【図２０】本発明の別の実施形態２に係る画像形成装置の主制御部の構成を示すブロック図である。
【図２１】実施形態２の画像形成装置にメモリーカードが挿入されたときの処理の流れを示すフローチャートである。
【発明を実施するための形態】
【００２３】
〔実施形態１〕
（画像形成装置の内部構成）
以下、本発明の一実施形態について、詳細に説明する。図１は、本発明の一実施形態に係る画像形成装置の内部構成を示す模式図である。
【００２４】
画像形成装置１００は、スキャナ機能とプリンタ機能とを備え、外部から伝達された画像データに応じて、所定のシート（記録用紙）に対して多色および単色の画像を形成する複合機である。この画像形成装置１００は、図１に示すように、装置本体１１０と、自動原稿処理装置１２０とを有している。
【００２５】
装置本体１１０は、露光ユニット１、現像器２、感光体ドラム３、クリーナユニット４、帯電器５、中間転写ベルトユニット６、定着ユニット７、給紙カセット８１、排紙トレイ９１等を有している。
【００２６】
装置本体１１０の上部には、原稿台として機能する透明ガラス９２を含むスキャナ部９０が設けられ、スキャナ部９０の上側には自動原稿処理装置１２０が取り付けられている。自動原稿処理装置１２０は、透明ガラス９２の上に自動で原稿を搬送する。また、原稿処理装置１２０は矢印Ｍ方向に回動自在に設計されている。原稿処理装置１２０が矢印Ｍ方向に回動することによってと透明ガラス９２が開放され、透明ガラス９２の上に原稿を手で載置できるようになっている。
【００２７】
また、図１に示すように、スキャナ部９０には、メモリーカードが脱着可能なメモリー読取部（検知部）９９が設けられている。そして、本実施形態の画像形成装置１００は、メモリー読取部９９に挿入されているメモリーカードから読み出される画像データに基づいて印刷処理を行うことが可能になっている。メモリー読取部９９は、メモリーカードがメモリー読取部９９に装着されたか否かの検知と、メモリーカードの記憶内容の解析、メモリーカードから読み取った画像データの転送を行う。メモリー読取部９９は、メモリーカードがメモリー読取部９９に装着されたことを検知すると、装着されたことを示す装着検知信号を後述の主制御部に送る。
【００２８】
画像形成装置１００において扱われる画像データは、ブラック（Ｋ）、シアン（Ｃ）、マゼンタ（Ｍ）、イエロー（Ｙ）の各色を用いたカラー画像に応じたものである。したがって、各色に応じた４種類の潜像が形成されるように、現像器２、感光体ドラム３、帯電器５、クリーナユニット４からなる画像形成ステーションが４個設置されている。つまり、画像形成装置１００には、ブラック画像用の画像形成ステーションと、シアン画像用の画像形成ステーションと、マゼンタ画像用の画像形成ステーションと、イエロー画像用の画像形成ステーションとが設けられている。
【００２９】
尚、本発明ではブラック（Ｋ）、シアン（Ｃ）、マゼンタ（Ｍ）、イエロー（Ｙ）の４色で説明するが、例えばシアンおよびマゼンタと同一の色相で濃度がより薄い特性をもつライトシアン（ＬＣ）およびライトマゼンタ（ＬＭ）を加えた６色であっても良い。
【００３０】
帯電器５は、感光体ドラム３の表面を所定の電位に均一に帯電させるための装置である。なお、本実施形態では非接触方式の帯電器５が用いられているが、ローラ型やブラシ型のような接触方式の帯電器が用いられてもよい。
【００３１】
露光ユニット１は、レーザ出射部（レーザ光源）と、レーザビームを走査するポリゴンミラーと、ポリゴンミラーによって走査されたレーザ光を感光体ドラム３に導く光学部材（レンズおよび反射ミラー）とを備えるレーザスキャニングユニット（ＬＳＵ）である。なお、発光素子をアレイ状に並べたＥＬやＬＥＤ書込みヘッドを露光ユニットとして設置してもよい。
【００３２】
露光ユニット１は、帯電された感光体ドラム３を、入力された画像データに応じて露光することにより、その表面に、画像データに応じた静電潜像を形成する機能を有する。現像器２は、感光体ドラム３上に形成された静電潜像を現像器２内のトナーによって現像（顕像化）するものである。なお、ブラック画像用の画像形成ステーションの現像器２ではブラックトナーによって現像が行われ、シアン画像用の画像形成ステーションの現像器２ではシアントナーによって現像が行われ、イエロー画像用の画像形成ステーションの現像器２ではイエロートナーによって現像が行われ、マゼンタ画像用の画像形成ステーションの現像器２ではマゼンタトナーによって現像が行われる。
【００３３】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫ用の各色に対応して４本設けられている。
【００３４】
中間転写ベルト駆動ローラ６２、中間転写ベルト従動ローラ６３、及び中間転写ローラ６４は、中間転写ベルト６１を張架して回転駆動させる。また各中間転写ローラ６４には、感光体ドラム３のトナー像を、中間転写ベルト６１上に転写するための転写バイアスが印加されている。
【００３５】
中間転写ベルト６１は、各感光体ドラム３に接触するように設けられている。そして、感光体ドラム３に形成された各色のトナー像が中間転写ベルト６１に順次的に重ねて転写されることによって、中間転写ベルト６１上にカラーのトナー像（多色トナー像）が形成されるようになっている。中間転写ベルト６１は、例えば厚さ１００μｍ〜１５０μｍ程度のポリイミドフィルムを用いて無端状に形成されているが、ポリイミドフィルム上に弾性層を設けた構成であっても良い。
【００３６】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３７】
上述のように、各感光体ドラム３上で顕像化された各色のトナー像は中間転写ベルト６１にて積層される。積層されたトナー像は、中間転写ベルト６１の回転によって、転写ローラ１０と中間転写ベルト６１との接触位置（２次転写位置）に搬送され、この接触位置において転写ローラ１０によってシート上に転写される。
【００３８】
転写ローラ１０は、中間転写ベルト６１に対して所定ニップで圧接されると共に、トナーをシートに転写させるための電圧が印加される（トナーの帯電極性（−）とは逆極性（＋）の高電圧）。さらに、上記所定ニップを定常的に得るために、転写ローラ１０もしくは中間転写ベルト駆動ローラ６２の何れか一方を硬質材料（金属）とし、他方を弾性ローラ等の軟質材料（弾性ゴムローラまたは発泡性樹脂ローラ）とする。
【００３９】
また、転写ローラ１０によってシート上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触するクリーニング部材としてクリーニングブレードが備えられており、中間転写ベルト６１のうちクリーニングブレードが接触している箇所は、裏側から中間転写ベルト従動ローラ６３で支持されている。
【００４０】
給紙カセット８１は、画像形成に使用するシート（記録用紙）を蓄積しておくためのトレイであり、装置本体１１０において露光ユニット１の下側に設けられている。手差し給紙カセット８２にも画像形成に使用するシートを置くことが可能になっている。装置本体１１０の上方に設けられている排紙トレイ９１は、印刷済みのシートをフェイスダウンで集積するためのトレイである。
【００４１】
また、装置本体１１０には、給紙カセット８１および手差し給紙カセット８２のシートを、転写ローラ１０や定着ユニット７を経由させて排紙トレイ９１に送るための、略垂直形状のシート搬送路Ｓが設けられている。給紙カセット８１または手差し給紙カセット８２から排紙トレイ９１までのシート搬送路Ｓの近傍には、ピックアップローラ１１ａ，１１ｂ、複数の搬送ローラ１２ａ〜１２ｄ，レジストローラ１３、転写ローラ１０、定着ユニット７が配されている。
【００４２】
搬送ローラ１２ａ〜１２ｄは、シートの搬送を促進・補助するための小型のローラであり、シート搬送路Ｓに沿って複数設けられている。ピックアップローラ１１ａは、給紙カセット８１の端部近傍に取り付けられ、給紙カセット８１からシートを１枚ずつピックアップしてシート搬送路Ｓに供給する。ピックアップローラ１１ｂは、手差し給紙カセット８２の端部近傍に取り付けられ、手差し給紙カセット８２からシートを１枚ずつピックアップしてシート搬送路Ｓに供給する。また、レジストローラ１３は、シート搬送路Ｓにて搬送されているシートを一旦保持するものである。そして、中間転写ベルト６１に形成されているトナー像の先端とシートの先端とが合わさるようなタイミングで、シートを２次転写位置（転写ローラ１０と中間転写ベルト６１との接触位置）に搬送する機能を有している。
【００４３】
定着ユニット７は、ヒートローラ７１および加圧ローラ７２を備えている。ヒートローラ７１および加圧ローラ７２は、シートを挟んで回転するようになっている。また、ヒートローラ７１は、図示しない温度検出器からの信号に基づいて制御部（不図示）によって所定の定着温度となるように設定されており、加圧ローラ７２とともにトナーをシートに熱圧着することにより、シートに転写された多色トナー像を溶融・混合・圧接し、シートに対して熱定着させる機能を有している。また、定着ユニット７には、ヒートローラ７１を外部から定着するための外部定着ベルト７３が設けられている。
【００４４】
つぎに、片面印字時のシート搬送について詳細に説明する。上述のように、画像形成装置１００には、予めシートを収納する給紙カセット８１、手差し給紙カセット８２が設けられている。これら給紙カセット８１，８２からシートを給紙するために、各々ピックアップローラ１１ａ，１１ｂが配置され、シートを１枚ずつシート搬送路Ｓに導くようになっている。各給紙カセット８１，８２から搬送されるシートはシート搬送路Ｓの搬送ローラ１２ａによってレジストローラ１３まで搬送され、シートの先端と中間転写ベルト６１上のトナー像の先端とが合わさるタイミングで２次転写位置（転写ローラ１０と中間転写ベルト６１との接触位置）に搬送される。２次転写位置において、中間転写ベルト６１からシートへトナー像が転写される。その後、シートが定着ユニット７を通過することによってシート上の未定着トナーが熱で溶融・固着される。定着処理の行われた後のシートは、定着ユニット７よりもシート搬送方向の下流側に設置される搬送ローラ１２ｂによって排紙トレイ９１上に排出される。
【００４５】
両面印字時の場合、上記のように片面印字が終了し定着ユニット７を通過したシートの後端が搬送ローラ１２ｂで把持されたときに、搬送ローラ１２ｂが逆回転することによってシートを搬送ローラ１２ｃ，１２ｄの設置位置に導く。シートは、搬送ローラ１２ｃ，１２ｄによってレジストローラ１３の設置位置に搬送され、シート裏面に印字が行われた後に排紙トレイ９１に排出される。
【００４６】
（画像形成装置のハードウェア構成）
次に、画像形成装置１００のハードウェアについて詳細に説明する。図２は本実施形態の画像形成装置１００の概略構成を示すブロック図である。画像形成装置１００は、図２に示すように、主制御部５０１、記憶部５０２、演算部５０３、画像処理部５０４、表示部５０５、入力部５０６、読取部５０７、画像形成部５０８、通信部５０９、周辺機器制御部５１１が設けられている。
【００４７】
表示部５０５は、操作パネルに設けられる表示装置に相当するブロックであり、画像形成装置１００に関する各種情報や印刷画像のプレビューを表示するものである。入力部５０６は、画像形成装置１００の上面に配置される操作パネルに設けられる操作ボタンに相当するブロックであり、利用者から各種コマンドや各種情報を受け付けるものである。また、前記の表示装置にタッチパネルが構成されている場合、このタッチパネルも入力部５０６として機能する。
【００４８】
読取部５０７は、スキャナ部９０に配置されているイメージセンサであり、原稿の画像を読み取ってアナログの画像信号を生成するものである。画像処理部５０４は、画像信号をデジタルの画像データに変換し、且つ当該画像データに各種画像処理を施す回路である。
【００４９】
画像形成部５０８は、画像処理部５０４にて処理の施された画像データに基づいてシート上にトナー像を形成するブロックである。なお、露光ユニット１、現像器２、感光体ドラム３、クリーナユニット４、帯電器５、中間転写ベルトユニット６からなる組が画像形成部５０８に相当する。
【００５０】
通信部５０９は、外部機器と通信するものである。外部機器としては、画像データの生成または取得が可能であり、かつ画像形成装置１００に電気的に接続可能な電気・電子機器を使用でき、たとえば、デジタルカメラ、ネットワークを介して画像形成装置１００に接続されるコンピュータなどが挙げられる。例えば、通信部５０９は、コンピュータ装置から画像データを含む印刷指示を受信する。
【００５１】
記憶部５０２は、入力部５０６または表示部５０５から入力される各種コマンドや設定値、画像形成装置１００の内部に配置される各種センサの検知結果、メモリー読取部９９に挿入されているメモリーカードから読み出される画像データ、外部機器から入力される画像データまたはファームウェア、画像形成装置１００に設けられる各装置の動作を制御するための各種設定値およびデータテーブル、各種制御を実行するためのプログラムなどを記憶するためのものである。記憶部５０２には、この分野で常用されるものを使用でき、たとえば、リードオンリーメモリ（ＲＯＭ）、ランダムアクセスメモリ（ＲＡＭ）、ハードディスクドライブ（ＨＤＤ）などが挙げられる。
【００５２】
演算部５０３は、記憶部５０２に記憶される各種情報および各種制御を実施するためのプログラムを取り出し、演算処理や判定処理を行う。主制御部５０１は、演算部５０３における各種判定結果および演算結果に基づいて、画像形成装置１００が備える各装置に制御信号を送って制御処理を行う。なお、主制御部５０１および演算部５０３は、たとえば、中央処理装置（ＣＰＵ：Central Processing Unit）を備えるマイクロコンピュータ、マイクロプロセッサなどによって実現される処理回路である。また、図示はされていないが、画像形成装置１００は、内部の各装置に対して電力を供給する主電源が設けられている。周辺機器制御部５１１は、後処理装置であるフィニッシャーやソーターなどの周辺機器を制御するための制御信号を出力する制御回路である。
【００５３】
主制御部５０１は、表示部５０５に所定の通知画面を表示させるための表示処理部５０１ａを備えている。具体的には、表示処理部５０１ａは、メモリー読取部９９がメモリーカードの装着を検知したときに、乳幼児によるメモリーカードの誤飲を注意喚起する旨の通知画面を表示部５０５に表示させる処理を行う。
【００５４】
（メモリーカードの構成）
次に、画像形成装置１００のメモリー読取部９９に装着可能なメモリーカードの構成について詳細に説明する。本実施形態において、メモリー読取部９９に装着可能なメモリカードは、小型で携帯可能である、汎用されているメモリカードが使用できる。
【００５５】
ただし、乳幼児の誤飲防止のためには、誤飲防止のための処理が施されたメモリカード、例えば、乳幼児の味覚を刺激する物質を有するメモリカードが好ましい。以下では、誤飲防止のための処理が施されたメモリー装置（メモリーカードやＵＳＢメモリーなど）を推奨メモリー装置という。
【００５６】
図３（ａ）は、本実施形態の推奨メモリー装置（ここでは、ＳＤメモリーカード）の表面を示した模式図であり、図３（ｂ）は、図３（ａ）の推奨メモリー装置の裏面を示した模式図である。
【００５７】
本実施形態の推奨メモリー装置には、外部端子以外の領域の外面に、乳幼児の味覚を刺激する物質が塗布されている。このような物質としては、特許文献２に記載された苦味剤、特許文献３に記載された催吐性物質（安息香酸デナトリウム、エピカテキン、フムロンなど）、人体に影響のない植物製油（ワサビ、カラシ、唐辛子、生姜、胡椒等のサイクロデキストリン）などを用いることができる。
【００５８】
また、乳幼児の味覚を刺激する物質だけでなく、ペースト状のカオリンが塗布されていてもよい。カオリンが塗布されたメモリーカードであれば、乳幼児が誤ってメモリーカードを口内に入れた場合、カオリン（カオリナイト）が唾液を吸収して吸着機能を発揮し、この吸着機能によってメモリーカードの外面が乳幼児の舌に吸着するため、乳幼児がメモリーカードを誤って飲み込んでしまうという事態を抑制できる。
【００５９】
なお、ペースト状のカオリンをメモリーカードの外面に効果的に保持させるためには、当該外面の基材においてカオリンの塗布領域に微細な凹凸を形成することが好ましい。また、前記凹凸は、無地状、メッシュ状またはハニカム状になっていることが好ましい。さらに、前記の凹凸の高さは１０μｍ〜５００μｍが好ましい。前記の凹凸の高さが１０μｍ未満であるとカオリンの脱落が起こり易くなり、前記の凹凸の高さが５００μｍ超であると多量のカオリンが必要になってしまいメモリーカードの製造コストが非常に高くなってしまう。なお、ペースト状のカオリンは周知の製造方法にて製造でき、製造方法の一例が特表２００９−５３６１８４号公報に示されている。
【００６０】
なお、ペースト状のカオリンだけでなく、カオリン粒子をメモリーカードの筐体を構成する樹脂にブラスト処理により打ちつけてもよい。つまり、メモリーカードの筐体として成型後の樹脂（熱硬化性樹脂や熱可塑性樹脂）に対して市販のサイホン式ブラスト機によってカオリン粒子を打ちつけることにより、カオリン粒子含有の樹脂を製造できる。なお、カオリン粒子含有の樹脂をメモリーカードの筐体とする場合、カオリン含有層の層厚は１μｍ〜２０μｍあれば充分である。
【００６１】
（メモリーカード挿入時の処理）
次に、本実施形態の特徴である、メモリー読取部９９にメモリーカードが挿入されたときの処理について説明する。図４は、メモリー読取部９９にメモリーカードが挿入されたときの処理の流れを示すフローチャートである。
【００６２】
まず、主制御部５０１は、メモリー読取部９９にメモリーカードが装着されたか否かを判断する（Ｓ１）。上述したように、メモリー読取部９９は、メモリーカードが装着された場合、装着されたことを示す装着検知信号を主制御部５０１に送る。そのため、主制御部５０１は、メモリー読取部９９から装着検知信号を受けた場合に、メモリー読取部９９にメモリーカードが装着されたものと判断することができる。
【００６３】
主制御部５０１が装着検知信号をメモリー読取部９９から受けると、表示処理部５０１ａは、乳幼児によるメモリーカードの誤飲を注意喚起する旨の通知画面を表示部５０５に表示させる（Ｓ２）。具体的には、表示処理部５０１ａは、記憶部５０２から当該通知画面を示す画面データを読み出し、表示部５０５に表示させる。
【００６４】
図５は、上記の通知画面の一例を示す図である。なお、図５（ａ）は、操作パネル全体を示す図であり、図５（ｂ）は、表示部５０５の画面を拡大した図である。図５に示されるように、表示処理部５０１ａは、推奨メモリー装置の使用を推奨することを示す通知画面を表示させる。これにより、ユーザは、乳幼児の誤飲が発生する可能性があることを認識することができる。また、推奨メモリー装置が存在することを知らなかったユーザに対して、推奨メモリー装置の存在を認識させることができる。その結果、乳幼児がいる家庭のユーザに対して、推奨メモリー装置の使用を促すことができ、誤飲を防止することができる。
【００６５】
なお、表示処理部５０１ａは、通知画面を所定時間（例えば、３〜５秒間）表示させる。３秒未満であれば、ユーザが見落とす可能性があり、ユーザに対して十分に注意喚起させることができないことが考えられるからである。また、５秒を超えると、通知画面が消えるまでしばらく待つ必要があり、すぐに印刷を行いためユーザにとって不便になるからである。
【００６６】
その後、主制御部５０１は、メモリーカードに格納されている画像データの印刷指示を受け付けるための操作画面を表示部５０５に表示させる。例えば、主制御部５０１は、メモリー読取部９９がメモリーカードから読み出した画像データのサムネイル画像を含み、印刷対象となる画像の入力指示を促す画面を表示部５０５に表示させる。
【００６７】
そして、主制御部５０１は、入力部５０６に入力された入力指示に従って、印刷対象となる画像データを画像処理部に送り、画像形成部で処理可能な形式のデータに変換させる。その後、画像形成部は、画像処理部により画像処理が施された画像データの印刷処理を実行する（Ｓ３）。これにより、ユーザは、画像形成装置１００にメモリーカードを挿入することで、当該メモリーカードに格納された画像データの印刷処理を実行させることができる。
【００６８】
（変形例１）
上記の説明では、メモリー読取部９９に装着されるメモリーカードとして、図３に示されるようなＳＤ（Secure Digital）メモリーカードを一例とした。しかしながら、メモリー読取部９９に装着されるメモリー装置としては、ＳＤメモリーカードに限定されない。
【００６９】
例えば、図６に示すＳＤＨＣメモリーカード、図７に示すコンパクトフラッシュ（登録商標）メモリーカード、図８に示すマイクロＳＤＨＣメモリーカード、図９に示すＵＳＢメモリーであってもよい。なお、乳幼児の誤飲を防止するためには、乳幼児の味覚を刺激する物質（苦味剤、催吐性物質、植物製油などの味覚刺激物質）やカオリンを有するメモリー装置が推奨メモリー装置となる。例えば、図６や図８に示すＳＤＨＣメモリーカードである場合には、外部端子が形成されている領域以外の外面に味覚刺激物質やカオリンが塗布されているＳＤＨＣメモリーカードが推奨メモリー装置となる。また、図７に示されるコンパクトフラッシュ（登録商標）メモリーカードである場合も、筐体の外面（表面、裏面の両方）に味覚刺激物質やカオリンが塗布されているメモリーカードが推奨メモリー装置となる。さらに、図９に示されるＵＳＢメモリーである場合、筐体およびキャップの外面に味覚刺激物質やカオリンが塗布されているＵＳＢメモリーが推奨メモリー装置となる。
【００７０】
メモリー読取部９９は、ＳＤメモリーカードおよびＳＤＨＣメモリーカード、マイクロＳＤＨＣメモリーカード、コンパクトフラッシュ（登録商標）メモリーカード、ＵＳＢメモリーのうちの少なくとも一つを装着することができるスロットを備えている。もしくは、メモリー読取部９９は、これら複数種類のメモリー装置を装着することが可能なように、各種のメモリー装置に応じた複数のスロットを有していてもよい。
【００７１】
（変形例２）
上記の説明では、メモリーカードがメモリー読取部９９に装着されたときに、乳幼児によるメモリーカードの誤飲を注意喚起する旨の通知画面を表示部５０５に表示させるものとした。しかしながら、メモリーカードがメモリー読取部９９に装着されたときだけなく、他のタイミングでも当該通知画面を表示部５０５に表示させてもよい。
【００７２】
例えば、ユーザがメモリーカードをメモリー読取部９９から抜き取るのを忘れてしまい、乳幼児がメモリーカードを抜き取り誤飲してしまうことが考えられる。そこで、定期的にメモリー読取部９９にメモリーカードが装着されたままになっているか確認し、装着されたままになっている場合に、上記の通知画面を表示してもよい。この処理の流れについて、図１０のフローチャートを参照しながら説明する。
【００７３】
まず、主制御部５０１は、所定時間（例えば３０分）の間隔で、メモリー読取部９９に対して、メモリーカードの装着の有無を検知させる（Ｓ１１）。
【００７４】
メモリー読取部９９は、主制御部５０１からの指示に従い、メモリーカードの装着の有無を検知する（Ｓ１２）。そして、装着されている場合（Ｓ１２でＹｅｓ）、メモリー読取部９９は、装着検知信号を主制御部５０１に送る。
【００７５】
主制御部５０１が装着検知信号を受けると、図４のＳ２と同様に、表示処理部５０１ａは、乳幼児によるメモリーカードの誤飲を注意喚起する旨の通知画面を表示部５０５に所定時間（例えば、３〜５秒間）だけ表示させる（Ｓ１３）。
【００７６】
その後、主制御部５０１は、メモリーカードに格納されている画像データの印刷指示を受け付けるための操作画面を表示部５０５に表示させ、入力指示に従った処理を行う（Ｓ１４）。なお、メモリーカードを抜き忘れている場合には、ユーザは、印刷しない旨の指示を入力すればよい。
【００７７】
これにより、メモリーカードを抜き忘れている場合でも、ユーザに対して定期的に注意喚起する通知画面を表示することにより、ユーザに抜き忘れを気付かせることができる。その結果、乳幼児の誤飲を防止することができる。
【００７８】
また、ユーザは、メモリーカードを装着したまま画像形成装置１００の電源をオフにする場合がある。そのため、画像形成装置１００の電源がオンにされたときにメモリーカードが装着されているか確認し、装着されている場合に、上記の通知画面を表示してもよい。この処理の流れについて、図１１のフローチャートを参照しながら説明する。
【００７９】
まず、画像形成装置１００の電源がオンにされ、画像形成装置１００が起動したとき（Ｓ２１）、主制御部５０１は、メモリー読取部９９に対して、メモリーカードの装着の有無を検知させる。
【００８０】
そして、メモリー読取部９９は、主制御部５０１からの指示に従い、メモリーカードの装着の有無を検知する（Ｓ２２）。そして、装着されている場合、メモリー読取部９９は、装着検知信号を主制御部５０１に送る。その後の処理Ｓ２４及びＳ２５は、図４に示すＳ２およびＳ３、または、図１０に示すＳ１３およびＳ１４と同じであるため、ここでは説明を省略する。なお、メモリーカードを単に抜き忘れている場合、ユーザは、Ｓ２５において、印刷しない旨の指示を入力すればよい。
【００８１】
これにより、メモリーカードを抜き忘れている場合でも、画像形成装置１００の電源オンのタイミングで注意喚起する通知画面を表示することにより、ユーザに抜き忘れを気付かせることができる。その結果、乳幼児の誤飲を防止することができる。
【００８２】
（変形例３）
上記の画像形成装置１００は、コンピュータ装置と通信接続され、コンピュータ装置から受けた画像データの印刷処理も可能である。特に、家庭や比較的小さいオフィス、幼稚園、保育園、乳幼児を対象とした教育現場（例えば学習塾）や各種イベント等に設置される画像形成装置１００の場合、一つのコンピュータ装置のみと通信接続される。このような場合、ユーザは、コンピュータ装置から画像形成装置１００に対して印刷指示を行う使用形態と、画像形成装置１００のメモリー読取部９９にメモリーカードを装着して、コンピュータ装置を介さずに印刷させる使用形態との両方を使い分けることができる。
【００８３】
そこで、メモリーカードを画像形成装置１００に装着したタイミングだけでなく、上記の画像形成装置１００に対応するプリンタドライバをコンピュータ装置にインストールする際にも、乳幼児によるメモリーカードの誤飲に対する注意喚起する通知画面をコンピュータ装置に表示させてもよい。プリンタドライバをインストールするタイミングは、画像形成装置１００を購入したタイミングである。そのため、乳幼児によるメモリーカードの誤飲に対する注意喚起を、より早くユーザに行うことができる。本変形例について、以下に説明する。
【００８４】
図１２は、画像形成装置１００と通信可能に接続されるコンピュータ装置２００の構成を示す図である。
【００８５】
図１２に示されるように、コンピュータ装置２００は、表示部（表示装置）２０１と、入力部２０２と、記憶部２０３と、ディスク読取部２０４と、インストール処理部２０５と、インストール完了確認部２０６と、通知画面表示制御部（表示制御部）２０７とを備えている。
【００８６】
表示部２０１は、ユーザに情報を通知するためのものであり、例えば、液晶ディスプレイや有機ＥＬディスプレイである。入力部２０２は、ユーザが情報を入力するためのものであり、例えば、マウスやキーボードで構成される。記憶部２０３は、各種のプログラムやデータを記憶するものである。
【００８７】
ディスク読取部２０４は、ＣＤ−ＲＯＭやＤＶＤ−ＲＯＭ、Ｂｌｕ−ｒａｙディスクなどの光ディスクから、各種のデータやプログラムを読み取るものである。
【００８８】
インストール処理部２０５は、ディスク読取部２０４が読み取ったプログラムや、通信ネットワークを介して取得したプログラムを記憶部２０３に組み込む処理（インストール）を実行するものである。具体的には、上述した画像形成装置１００を操作するためのプリンタドライバが格納された光ディスクがディスク読取部２０４に挿入された場合、インストール処理部２０５は、ディスクから読み取ったプリンタドライバを記憶部２０３にインストールする処理を実行する。
【００８９】
インストール完了確認部２０６は、インストール処理部２０５が上記の画像形成装置１００に対応するプリンタドライバのインストールを完了したことを確認するものである。例えば、インストール完了確認部２０６は、インストール処理部２０５がプリンタドライバのインストールの完了画面が表示部２０１に表示されたことを検知して、インストールが完了したものと判断すればよい。インストール完了確認部２０６は、プリンタドライバのインストールが完了したと判断すると、インストール完了通知を通知画面表示制御部２０７に送る。
【００９０】
通知画面表示制御部２０７は、インストール完了通知を受けると、乳幼児によるメモリーカードの誤飲を注意喚起する旨の通知画面を表示部２０１に表示する処理を行うものである。
【００９１】
なお、インストール完了確認部２０６および通知画面表示制御部２０７は、ハードウェアとしてのＣＰＵが記憶部２０３に格納されたプログラムを実行することに動作されるブロックである。そして、インストール完了確認部２０６および通知画面表示制御部２０７を動作するためのプログラムは、画像形成装置１００のプリンタドライバに付属されている。すなわち、インストール完了確認部２０６および通知画面表示制御部２０７を動作するためのプログラムと、画像形成装置１００のプリンタドライバとは、同じ光ディスクに格納されている。そして、当該光ディスクがディスク読取部２０４に挿入されたとき、ディスク読取部２０４は、先にインストール完了確認部２０６および通知画面表示制御部２０７を動作するためのプログラムを読み取る。そして、当該プログラムがインストール処理部２０５により記憶部２０３にインストールされる。これにより、図示しないＣＰＵが当該プログラムを実行することにより、インストール完了確認部２０６および通知画面表示制御部２０７が動作することとなる。
【００９２】
次に、本変形例におけるコンピュータ装置２００のプリンタドライバのインストールの処理の流れについて、図１３を参照しながら説明する。図１３は、当該処理の流れを示すフローチャートである。
【００９３】
まず、インストール処理部２０５は、画像形成装置１００のプリンタドライバが格納された光ディスクがディスク読取部２０４に装着されると、ディスク読取部２０４により読み取られたプリンタドライバを記憶部２０３にインストールする（Ｓ３１）。
【００９４】
インストール処理部２０５によるインストールの完了画面の表示の有無に基づいて、インストール完了確認部２０６は、画像形成装置１００のプリンタドライバのインストールが完了したか否かを判断する（Ｓ３２）。インストールが完了したことを確認すると（Ｓ３２でＹｅｓ）、インストール確認部は、インストール完了通知を通知画面表示制御部２０７に送る。
【００９５】
インストール完了通知を受けた通知画面表示制御部２０７は、乳幼児によるメモリーカードの誤飲を注意喚起する旨の通知画面を表示部２０１に表示する処理を行う（Ｓ３３）。図１４は、当該通知画面の一例を示す図である。図１４に示されるように、通知画面表示制御部２０７は、画像形成装置１００を使用する前の注意事項として、乳幼児によるメモリーカードの誤飲の注意を促す画面を表示する。
【００９６】
これにより、ユーザは、画像形成装置１００を使用する前に、乳幼児によるメモリーカードの誤飲を注意することができる。
【００９７】
（変形例４）
上記の実施形態では、メモリーカードを画像形成装置１００に装着した際に、乳幼児によるメモリーカードの誤飲を注意喚起する旨の通知画面が画像形成装置１００に表示される。これに加えて、メモリーカードを画像形成装置１００に装着した際に、画像形成装置１００と通信接続されたコンピュータ装置にも当該通知画面を表示させてもよい。これにより、乳幼児によるメモリーカードの誤飲の注意を一層促すことができる。
【００９８】
図１５は、本変形例の構成を示すブロック図である。図１５に示されるように、画像形成装置１００とコンピュータ装置（情報処理装置）２００とが通信接続されている。なお、ここでは、家庭や比較的小さいオフィスに画像形成装置１００が設置されており、画像形成装置１００が一つのコンピュータ装置２００のみと通信接続されるケースを想定している。
【００９９】
本変形例において、画像形成装置１００の主制御部５０１は、メモリー読取部９９から装置検知信号を受けたとき、当該装置検知信号をコンピュータ装置２００に通信部を介して転送する。
【０１００】
また、図示されるように、コンピュータ装置２００は、通信部と、表示部２０１と、通知画面表示制御部２０７とを備えている。
【０１０１】
通信部は、画像形成装置１００と通信するものである。例えば、通信部は、ＬＡＮケーブルや無線ＬＡＮ、Bluetooth（登録商標）を用いて画像形成装置１００と通信する。
【０１０２】
通知画面表示制御部２０７は、通信部が画像形成装置１００から装置検知信号を受けたときに、乳幼児によるメモリーカードの誤飲を注意喚起する旨の通知画面を表示部２０１に表示させる。
【０１０３】
図１６は、通知画面表示制御部２０７が表示する通知画面の一例である。これにより、ユーザは、乳幼児の誤飲が発生する可能性があることを認識することができる。また、推奨メモリー装置が存在することを知らなかったユーザに対して、推奨メモリー装置の存在を認識させることができる。その結果、乳幼児がいる家庭のユーザに対して、推奨メモリー装置の使用を促すことができ、誤飲を防止することができる。
【０１０４】
（その他）
上記の説明では、乳幼児によるメモリーカードの誤飲を注意喚起する旨の通知画面を表示部５０５に表示するものとした。しかしながら、通知画面を表示部５０５に表示させる代わりに、乳幼児によるメモリーカードの誤飲を注意喚起する旨の通知音声をスピーカから発してもよい。これによっても、ユーザに対して注意喚起することができるからである。もちろん、上記の通知画面を表示部５０５に表示させるとともに、通知音声をスピーカから発してもよい。
【０１０５】
また、上記の通知は、その他の手段を行ってもよい。例えば、図１７に示されるように、Ｗｅｂページにおいて、乳幼児によるメモリーカードの誤飲を注意喚起する旨の通知画面を表示してもよい。また、図１８に示されるように、Ｗｅｂページ上の画像形成装置１００のカタログを示す画面において、上記の通知画面を含ませてもよい。さらには、図１９で示されるように、新聞や各種のチラシ、雑誌において、乳幼児によるメモリーカードの誤飲を注意喚起する旨の通知文書を掲載してもよい。これにより、ユーザは、推奨メモリー装置の存在を認識することができる。
【０１０６】
また、画像形成装置１００の構成は、図１の構成に限定されるものではない。例えば、家庭用の小型のプリンタや複合機であってもよい。
【０１０７】
〔実施形態２〕
実施形態１では、メモリー読取部９９にメモリーカードが装着されたタイミングで常に通知画面を表示させるものとした。しかしながら、本発明はこれに限定されるものではない。例えば、装着されたメモリーカードが推奨メモリー装置であると推定される場合以外において、通知画面を表示させてもよい。
【０１０８】
本発明の他の実施形態について、図２０および図２１に基づいて説明すれば、以下のとおりである。なお、説明の便宜上、前記実施形態にて説明した図面と同じ機能を有する部材については、同じ符号を付記し、その説明を省略する。
【０１０９】
図２０は、本実施形態における主制御部５０１’の構成を示すブロック図である。図２０に示されるように、本実施形態では、主制御部５０１’は、実施形態１の主制御部５０１と比較して、推奨メモリー装置判断部５０１ｃと、推奨情報書込部５０１ｂとを備える点で相違する。
【０１１０】
また、本実施形態における表示処理部５０１ａは、装着検知信号をメモリー読取部９９から受け、かつ、推奨メモリー装置判断部５０１ｃから処理実行の開始指示を受けた場合にのみ、乳幼児によるメモリーカードの誤飲を注意喚起する旨の通知画面を表示部５０５に表示させる点で、実施形態１の表示処理部５０１ａと相違する。
【０１１１】
推奨情報書込部５０１ｂは、メモリー読取部９９に装着されたメモリーカードに、当該メモリーカードが推奨メモリー装置であるか否かを示す推奨情報を書き込む処理を行うものである。推奨情報書込部５０１ｂは、推奨メモリー装置判断部５０１ｃからの処理実行の開始指示を受けたときに、書き込み処理を実行する。
【０１１２】
具体的には、推奨情報書込部５０１ｂは、書き込み処理として以下の処理を行う。まず、推奨情報書込部５０１ｂは、現在装着されているメモリーカードが推奨メモリー装置か否かの入力を促す画面を表示部５０５に表示させる。そして、推奨情報書込部５０１ｂは、入力された情報に従って、推奨情報を作成し、当該推奨情報をメモリーカード内に書き込む。すなわち、装着されたメモリーカードが推奨メモリー装置である旨が入力された場合、推奨情報書込部５０１ｂは、推奨メモリー装置である旨を示す推奨情報を作成する。一方、装着されたメモリーカードが推奨メモリー装置ではない旨が入力された場合、推奨情報書込部５０１ｂは、推奨メモリー装置ではない旨を示す推奨情報を作成する。
【０１１３】
推奨メモリー装置判断部５０１ｃは、メモリー読取部９９に装着されたメモリーカードが推奨メモリー装置であるか否かを判断するものである。具体的には、推奨メモリー装置判断部５０１ｃは、メモリー読取部９９に装着されたメモリーカードに推奨情報が格納されており、かつ、当該推奨情報が推奨メモリー装置であることを示す場合に、装着されたメモリーカードが推奨メモリー装置であると判断する。また、推奨メモリー装置判断部５０１ｃは、メモリー読取部９９に装着されたメモリーカードに推奨情報が格納されており、かつ、当該推奨情報が推奨メモリー装置でないことを示す場合に、装着されたメモリーカードが推奨メモリー装置ではないと判断する。さらに、推奨メモリー装置判断部５０１ｃは、メモリー読取部９９に装着されたメモリーカードに推奨情報が格納されていない場合に、装着されたメモリーカードが推奨メモリー装置であるかどうか不明であると判断する。
【０１１４】
推奨メモリー装置判断部５０１ｃは、装着されたメモリーカードが推奨メモリー装置ではないと判断した場合、表示処理部５０１ａに対して処理実行の開始指示を送る。
【０１１５】
また、推奨メモリー装置判断部５０１ｃは、装着されたメモリーカードが推奨メモリー装置であると判断した場合、表示処理部５０１ａに対して通知画面の表示処理を実行する指示を送らない。これにより、通知画面が表示されることがない。
【０１１６】
さらに、推奨メモリー装置判断部５０１ｃは、装着されたメモリーカードが推奨メモリー装置であるかどうか不明である判断した場合、表示処理部５０１ａおよび推奨情報書込部５０１ｂに対して処理実行の開始指示を送る。
【０１１７】
以下、本実施形態の処理の流れについて、図２１を参照しながら説明する。図２１は、本実施形態の処理の流れを示すフローチャートである。
【０１１８】
まず、主制御部５０１’は、メモリー読取部９９にメモリーカードが挿入されたか否かを判断する（Ｓ４１）。具体的には、主制御部５０１’は、メモリー読取部９９から装着検知信号を受けた場合に、メモリー読取部９９にメモリーカードが装着されたものと判断する。
【０１１９】
メモリー読取部９９にメモリーカードが装着された場合、推奨メモリー装置判断部５０１ｃは、装着されたメモリーカード内に推奨情報が格納されているか否かを判断する（Ｓ４２）。
【０１２０】
推奨メモリー装置判断部５０１ｃは、メモリーカード内に推奨情報が格納されていない場合（Ｓ４２でＮｏ）、表示処理部５０１ａおよび推奨情報書込部５０１ｂに対して処理実行の開始指示を送る。これにより、表示処理部５０１ａは、乳幼児によるメモリーカードの誤飲を注意喚起する旨の通知画面を表示部５０５に表示させる（Ｓ４３）。続いて、推奨情報書込部５０１ｂは、現在装着されているメモリーカードが推奨メモリー装置か否かの入力を促す画面を表示部５０５に表示させ、入力された情報に従って、推奨情報を作成し、当該推奨情報をメモリーカード内に書き込む（Ｓ４４）。その後、Ｓ４７の処理に移行する。
【０１２１】
一方、推奨メモリー装置判断部５０１ｃは、メモリーカード内に推奨情報が格納されている場合（Ｓ４２でＹｅｓ）、推奨情報が推奨メモリー装置である旨を示しているか否かを判断する（Ｓ４５）。
【０１２２】
推奨情報が推奨メモリー装置でないことを示している場合（Ｓ４５でＮｏ）、推奨メモリー装置判断部５０１ｃは、表示処理部５０１ａに対して処理実行の開始指示を送る。これにより、表示処理部５０１ａは、乳幼児によるメモリーカードの誤飲を注意喚起する旨の通知画面を表示部５０５に表示させる（Ｓ４６）。その後、Ｓ４７の処理に移行する。
【０１２３】
一方、推奨情報が推奨メモリー装置であることを示している場合（Ｓ４５でＹｅｓ）、Ｓ４７の処理に移行する。
【０１２４】
そして、主制御部５０１’は、図４に示すＳ３の処理と同様の処理を行う（Ｓ４７）。すなわち、主制御部５０１’は、ユーザ入力に従った印刷処理を実行する。
【０１２５】
本実施形態によれば、ユーザが推奨メモリー装置を使用している場合には、上記の通知画面が表示されない。これにより、既に推奨メモリー装置を使用しているユーザに対して不必要に通知画面を表示させることがなく、当該ユーザは、すぐに印刷処理を開始することができる。
【０１２６】
最後に、画像形成装置１００およびコンピュータ装置２００の各ブロック、特に主制御部５０１・５０１’、インストール完了確認部２０６および通知画面表示制御部２０７は、ハードウェアロジックによって構成してもよいし、次のようにＣＰＵを用いてソフトウェアによって実現してもよい。
【０１２７】
すなわち、画像形成装置１００およびコンピュータ装置２００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像形成装置１００およびコンピュータ装置２００の制御プログラムのプログラムコード（実行形式プログラム、中間コードプログラム、ソースプログラム）をコンピュータで読み取り可能に記録した記録媒体を、上記画像形成装置１００およびコンピュータ装置２００に供給し、そのコンピュータ（またはＣＰＵやＭＰＵ）が記録媒体に記録されているプログラムコードを読み出し実行することによっても、達成可能である。
【０１２８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２９】
また、画像形成装置１００およびコンピュータ装置２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１３０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３１】
本発明は、メモリー装置が着脱可能なプリンタや複合機などの画像形成装置に適用することができる。
【符号の説明】
【０１３２】
９９    メモリー読取部（検知部）
１００    画像形成装置
２００    コンピュータ装置（情報処理装置）
２０１    表示部（表示装置）
２０５    インストール処理部
２０６    インストール完了確認部
２０７    通知画面表示制御部（表示制御部）
５０１、５０１’    主制御部
５０１ａ  表示処理部（通知部）
５０１ｂ  推奨情報書込部
５０１ｃ  推奨メモリー装置判断部
５０２    記憶部
５０５    表示部
【図１】
2011161641.tif 000003
【図２】
2011161641.tif 000004
【図３】
2011161641.tif 000005
【図４】
2011161641.tif 000006
【図５】
2011161641.tif 000007
【図６】
2011161641.tif 000008
【図７】
2011161641.tif 000009
【図８】
2011161641.tif 000010
【図９】
2011161641.tif 000011
【図１０】
2011161641.tif 000012
【図１１】
2011161641.tif 000013
【図１２】
2011161641.tif 000014
【図１３】
2011161641.tif 000015
【図１４】
2011161641.tif 000016
【図１５】
2011161641.tif 000017
【図１６】
2011161641.tif 000018
【図１７】
2011161641.tif 000019
【図１８】
2011161641.tif 000020
【図１９】
2011161641.tif 000021
【図２０】
2011161641.tif 000022
【図２１】
2011161641.tif 000023